(57)【要約】      （修正有） 【課題】容易に取付け及び取り外しができ、高速走行や洗車機などでも自力では剥がれることが無く、剥がす際にも車体を傷つけたりシール跡が残らず、更に万が一剥がれてしまっても防犯運動用ステッカー自体が軽いため他の車両等を傷つける心配がない防犯運動用ステッカーを提供する。【解決手段】表面にはメイン文字記載欄、サブ文字記載欄及び団体名記載欄を設け、裏面が繰り返し着脱可能な吸着層である防犯運動用ステッカーと、表面に更にキャラクター記載欄を設けたことを特徴とする防犯運動用ステッカーと、第１層から第６層の６つの層からなり前記第６層の底面に吸着層を保護するセパレーターを貼り合わせたことを特徴とする。【選択図】図１
0003144624.tif 000002
【実用新案登録請求の範囲】
【請求項１】
表面にはメイン文字記載欄、サブ文字記載欄及び団体名記載欄を設け、裏面には繰り返し着脱可能な吸着層を設けたことを特徴とする防犯運動用ステッカー。
【請求項２】
表面にキャラクター記載欄を設けたことを特徴とする請求項１に記載の防犯運動用ステッカー。
【請求項３】
前記メイン文字記載欄に防犯パトロール、防犯パトロール実施中、特別警戒実施中、こども１１０番、パトロール中のいずれかを記載したことを特徴とする請求項１又は請求項２のいずれかに記載の防犯運動用ステッカー。
【請求項４】
前記サブ文字記載欄にみんなでつくろう安全な街、みんなで守ろうこどもの安全地域の安全、防犯パトロール、特別警戒中、わたしたちが見ていますのいずれかを記載したことを特徴とする請求項１乃至請求項３のいずれかに記載の防犯運動用ステッカー。
【請求項５】
前記団体名記載欄に保育所名、幼稚園名、小学校名、中学校名、高等学校名、各地区の防犯協会名、各警察署名、町内会名、自治会名、一般企業名、商工会議所名、子供会名、育成会名、交通安全協会名のいずれかの団体名を記載したことを特徴とする請求項１乃至請求項４のいずれかに記載の防犯運動用ステッカー。
【請求項６】
前記キャラクター記載欄に警察官を模したキャラクターを記載したことを特徴とする請求項２乃至請求項５のいずれかに記載の防犯運動用ステッカー。
【請求項７】
第１層から第６層の６つの層からなり、前記第６層の底面に吸着層を保護するセパレーターを貼り合わせたことを特徴とする請求項１乃至請求項６のいずれかに記載の防犯運動用ステッカー。
【請求項８】
前記第１層が、印刷層であることを特徴とする請求項７に記載の防犯運動用ステッカー。
【請求項９】
前記第２層が、印刷面となり低密度ポリエチレン、ポリプロピレン、エチレン−酢酸共重合体からなる群より選ばれる１種以上の樹脂であることを特徴とする請求項７又は請求項８のいずれかに記載の防犯運動用ステッカー。
【請求項１０】
前記第３層が、低密度ポリエチレンからなることを特徴とする請求項７乃至請求項９のいずれかに記載の防犯運動用ステッカー。
【請求項１１】
前記第４層が、ポリプロピレンからなることを特徴とする請求項７乃至請求項１０のいずれかに記載の防犯運動用ステッカー。
【請求項１２】
前記第５層が、低密度ポリエチレンからなることを特徴とする請求項７乃至請求項１１のいずれかに記載の防犯運動用ステッカー。
【請求項１３】
前記第６層が、吸着面でエチレン−酢酸共重合体からなることを特徴とする請求項７乃至請求項１２のいずれかに記載の防犯運動用ステッカー。
【請求項１４】
前記セパレーターが、高密度ポリエチレンからなることを特徴とする請求項７乃至請求項１３のいずれかに記載の防犯運動用ステッカー。
【考案の詳細な説明】
【技術分野】
【０００１】
本考案は、車体やガラス窓等に貼り付けて使用する防犯運動用ステッカーに関する考案である。
【背景技術】
【０００２】
従来、車体やガラス窓等に貼り付ける防犯運動用ステッカーは、背面をマグネットとしたものや粘着シールとしたものであった。
【０００３】
しかしながら、従来のマグネット式の防犯運動用ステッカーは車体等に簡単に貼り付けることができる一方、高速で走行した場合やちょっとした衝撃等により容易に剥がれ落ちてしまい後続の車両等にぶつかることがあった。
【０００４】
また、マグネット式の防犯運動用ステッカーはそれ自体に重量があるため上記のように走行中に剥がれ落ちて後続車両にぶつかった場合に車体を傷つけることがあった。
【０００５】
一方、粘着シール式の防犯運動用ステッカーは軽いが剥がす際にシール後がついてしまうことがあり、また長期間に渡って日光等にさらされると粘着力が弱まり捲れることがあった。
【０００６】
また、一度粘着力が弱まると貼り付け直すことができないため別の防犯運動用ステッカーに変えなければならなかった。
【０００７】
以上のような理由から防犯のためのシールであっても利用する人は少なく、防犯意識を高めることができなかった。
【特許文献１】特願２００２−１４６１６号公報
【考案の開示】
【考案が解決しようとする課題】
【０００８】
そこで、本考案は、容易に取付け及び取り外しができ、高速走行や洗車機などでも自力では剥がれることが無く、剥がす際にも車体を傷つけたりシール跡が残らず、更に万が一剥がれてしまっても防犯運動用ステッカー自体が軽いため他の車両等を傷つける心配がない防犯運動用ステッカーを提供することを目的とするものである。
【課題を解決するための手段】
【０００９】
本考案は、上記の課題を解決するために、表面にはメイン文字記載欄、サブ文字記載欄及び団体名記載欄を設け、裏面が繰り返し着脱可能な吸着層である防犯運動用ステッカーと、表面に更にキャラクター記載欄を設けたことを特徴とする防犯運動用ステッカーと、第１層から第６層の６つの層からなり前記第６層の底面に吸着層を保護するセパレーターを貼り合わせたことを特徴とする防犯運動用ステッカーの構成とした。
【考案の効果】
【００１０】
本考案の防犯運動用ステッカーは容易に付け外しができるが自力では剥がれない素材でできたシールに防犯の文字が記載されているため、気軽に使用することができる。
【００１１】
また、上述のように気軽に使用することができるため、多くの人が利用することにより防犯意識を高めることができる。
【考案を実施するための最良の形態】
【００１２】
容易に付け外しが可能で、剥がした際も貼り付け部を傷つけることないため気軽に使用できる防犯運動用ステッカーという目的を容易に付け外しが可能で自力では剥がれない素材でできたシールに防犯の文字を記載することによって実現した。
【実施例１】
【００１３】
図１は本考案である防犯運動用ステッカーの正面図である。図１に示すように、本考案である防犯運動用ステッカー１は、表面にメイン文字記載欄２ａと前記メイン文字記載欄２ａの下にサブ文字記載欄２ｂ及び団体名記載欄２ｃを設けたシール２からなる。
【００１４】
前記メイン文字記載欄２ａは最も大きな欄であり、全体の半分から３分の２程度を占めている。
【００１５】
前記サブ文字記載欄２ｂはメイン文字記載欄２ａよりも小さく、また前記団体名記載欄２ｃも同様にメイン文字記載欄２ａよりも小さくサブ文字記載欄２ｂと同程度である。
【００１６】
防犯運動用ステッカー１では、メイン文字記載欄２ａに「防犯パトロール」３と記載され、サブ文字記載欄２ｂには「みんなでつくろう安全な街」４、団体名記載欄２ｃには「○○小学校ＰＴＡ」５と記載されている。
【００１７】
尚、団体名記載欄２ｃに記載の○○とは、小学校名が入る部分である。更に小学校名以外に保育所名や幼稚園名、中学校、高等学校名等であっても構わない。
【実施例２】
【００１８】
図２は本考案である防犯運動用ステッカーの第２実施例の正面図である。図２に示すように、本考案である防犯運動用ステッカー１ａは、表面にメイン文字記載欄２ａと前記メイン文字記載欄２ａの下にサブ文字記載欄２ｂ及び団体名記載欄２ｃを設けたシール２からなり、実施例１の防犯運動用ステッカー１と同じ構成をしている。
【００１９】
防犯運動用ステッカー１ａの場合も、前記メイン文字記載欄２ａは最も大きな欄であり、全体の半分から３分の２程度を占めている。また、前記サブ文字記載欄２ｂはメイン文字記載欄２ａよりも小さく、前記団体名記載欄２ｃも同様にメイン文字記載欄２ａよりも小さくサブ文字記載欄２ｂと同程度である。
【００２０】
防犯運動用ステッカー１ａでは、メイン文字記載欄２ａに「防犯パトロール実施中」３ａと記載され、サブ文字記載欄２ｂには「みんなで守ろうこどもの安全地域の安全」４ａ、団体名記載欄２ｃには「○○地区防犯協会」５ａと記載されている。
【００２１】
尚、団体名記載欄２ｃに記載の○○とは、地区名や地域名等が入る部分である。
【実施例３】
【００２２】
図３は本考案である防犯運動用ステッカーの第３実施例の正面図である。図３に示すように、本考案である防犯運動用ステッカー１ｂは、表面中央にメイン文字記載欄２ａと前記メイン文字記載欄２ａの上部にサブ文字記載欄２ｄ、下部に団体名記載欄２ｃを設けたシール２からなる。
【００２３】
前記メイン文字記載欄２ａは最も大きな欄であり、全体の半分から３分の２程度を占めてシール２の中央に位置している。前記サブ文字記載欄２ｄはメイン文字記載欄２ａよりも小さく、前記団体名記載欄２ｃも同様にメイン文字記載欄２ａよりも小さい。
【００２４】
防犯運動用ステッカー１ｂでは、メイン文字記載欄２ａに「特別警戒実施中」３ｂと記載され、サブ文字記載欄２ｄには「防犯パトロール」６、団体名記載欄２ｃには「○○警察署・○○地区防犯協会」５ｂと記載されている。
【００２５】
尚、団体名記載欄２ｃに記載の○○とは、警察署名や地区・地域名等が入る部分である。
【実施例４】
【００２６】
図４は本考案である防犯運動用ステッカーの第４実施例の正面図である。図４に示すように、本考案である防犯運動用ステッカー１ｃは、表面中央にメイン文字記載欄２ａと前記メイン文字記載欄２ａの上部にサブ文字記載欄２ｄ、下部に団体名記載欄２ｃを設けたシール２からなり、実施例３の防犯運動用ステッカー１ｂと同じ構成をしている。
【００２７】
防犯運動用ステッカー１ｃの場合も、前記メイン文字記載欄２ａは最も大きな欄であり、全体の半分から３分の２程度を占めてシール２の中央に位置している。前記サブ文字記載欄２ｄはメイン文字記載欄２ａよりも小さく、前記団体名記載欄２ｃも同様にメイン文字記載欄２ａよりも小さい。
【００２８】
防犯運動用ステッカー１ｃでは、メイン文字記載欄２ａに「こども１１０番」３ｃと記載され、サブ文字記載欄２ｄには「特別警戒中」６ａ、団体名記載欄２ｃには「○○警察署・○○地区防犯協会」５ｂと記載されている。
【００２９】
尚、団体名記載欄２ｃに記載の○○とは、警察署名や地区・地域名等が入る部分である。
【実施例５】
【００３０】
図５は本考案である防犯運動用ステッカーの第５実施例の正面図である。図５に示すように、本考案である防犯運動用ステッカー１ｄは、表面中央にメイン文字記載欄２ａと前記メイン文字記載欄２ａの上下にサブ文字記載欄２ｂ、２ｄ、前記サブ文字記載欄２ｂの下部に団体名記載欄２ｃを設けたシール２からなる。
【００３１】
前記メイン文字記載欄２ａは最も中心的な欄であり、記載される文字の大きさが最も大きい。前記サブ文字記載欄２ｂ、２ｄはメイン文字記載欄２ａよりも小さく、前記団体名記載欄２ｃも同様にメイン文字記載欄２ａよりも小さい。
【００３２】
防犯運動用ステッカー１ｄでは、メイン文字記載欄２ａに「パトロール中」３ｄと記載され、サブ文字記載欄２ｂには「みんなで守ろうこどもの安全地域の安全」４ａ、サブ文字記載欄２ｄには「わたしたちが見ています」６ｂ、団体名記載欄２ｃには「○○地区防犯協会」５ａと記載されている。
【００３３】
尚、団体名記載欄２ｃに記載の○○とは、地区名や地域名等が入る部分である。
【実施例６】
【００３４】
図６は本考案である防犯運動用ステッカーの第６実施例の正面図である。図６に示すように本考案である防犯運動用ステッカー１ｅは表面にメイン文字記載欄２ａと前記メイン文字記載欄２ａの下にサブ文字記載欄２ｂ及び団体名記載欄２ｃを設け、更にメイン文字記載欄２ａの下部右端にキャラクター記載欄２ｅを設けたシール２からなる。
【００３５】
即ち、防犯運動用ステッカー１ｅは実施例１の防犯運動用ステッカー１とほぼ同じ構成をしており、キャラクター記載欄２ｅを設けただけの違いである。
【００３６】
防犯運動用ステッカー１ｅでは、メイン文字記載欄２ａに「防犯パトロール」３と記載され、サブ文字記載欄２ｂには「みんなでつくろう安全な街」４、団体名記載欄２ｃには「○○小学校ＰＴＡ」５と記載されている。また、キャラクター記載欄２ｅには警察官７のキャラクターが記載されている。
【００３７】
尚、団体名記載欄２ｃに記載の○○とは、小学校名が入る部分である。更に小学校名以外に保育所名や幼稚園名、中学校、高等学校名等であっても構わない。
【実施例７】
【００３８】
図７は本考案である防犯運動用ステッカーの第７実施例の正面図である。図７に示すように、本考案である防犯シート１ｆは表面にメイン文字記載欄２ａと前記メイン文字記載欄２ａの下にサブ文字記載欄２ｂ及び団体名記載欄２ｃを設け、更にメイン文字記載欄２ａの下部左端にキャラクター記載欄２ｆを設けたシール２からなる。
【００３９】
即ち、防犯運動用ステッカー１ｆは実施例２の防犯運動用ステッカー１ａとほぼ同じ構成をしており、キャラクター記載欄２ｆを設けただけの違いである。
【００４０】
防犯運動用ステッカー１ｆでは、メイン文字記載欄２ａに「防犯パトロール実施中」３ａと記載され、サブ文字記載欄２ｂには「みんなで守ろうこどもの安全地域の安全」４ａ、団体名記載欄２ｃには「○○地区防犯協会」５ａと記載されている。また、キャラクター記載欄２ｆには警察官７のキャラクターが記載されている。
【００４１】
尚、団体名記載欄２ｃに記載の○○とは、地区名や地域名等が入る部分である。
【実施例８】
【００４２】
図８は本考案である防犯運動用ステッカーの第８実施例の正面図である。図８に示すように、本考案である防犯運動用ステッカー１ｇは表面中央にメイン文字記載欄２ａと前記メイン文字記載欄２ａの上部にサブ文字記載欄２ｄ、下部に団体名記載欄２ｃを設け、更にメイン文字記載欄２ａの下部右端にキャラクター記載欄２ｇを設けたシール２からなる。
【００４３】
即ち、防犯運動用ステッカー１ｇは実施例３の防犯運動用ステッカー１ｂとほぼ同じ構成をしており、キャラクター記載欄２ｇを設けただけの違いである。
【００４４】
防犯運動用ステッカー１ｇでは、メイン文字記載欄２ａに「特別警戒実施中」３ｂと記載され、サブ文字記載欄２ｄには「防犯パトロール」６、団体名記載欄２ｃには「○○警察署・○○地区防犯協会」５ｂと記載されている。また、キャラクター記載欄２ｇには警察官７のキャラクターが記載されている。
【００４５】
尚、団体名記載欄２ｃに記載の○○とは、警察署名や地区・地域名等が入る部分である。
【実施例９】
【００４６】
図９は本考案である防犯運動用ステッカーの第９実施例の正面図である。図９に示すように本考案である防犯運動用ステッカー１ｈは、表面中央にメイン文字記載欄２ａと前記メイン文字記載欄２ａの上部にサブ文字記載欄２ｄ、下部に団体名記載欄２ｃを設け、更にメイン文字記載欄２ａの右側上部にキャラクター記載欄２ｈを設けたシール２からなる。
【００４７】
即ち防犯運動用ステッカー１ｈは実施例４の防犯運動用ステッカー１ｃとほぼ同じ構成をしており、キャラクター記載欄２ｈを設けただけの違いである。
【００４８】
防犯運動用ステッカー１ｈでは、メイン文字記載欄２ａに「こども１１０番」３ｃと記載され、サブ文字記載欄２ｄには「特別警戒中」６ａ、団体名記載欄２ｃには「○○警察署・○○地区防犯協会」５ｂと記載されている。また、キャラクター記載欄２ｈには警察官７のキャラクターが記載されている。
【００４９】
尚、団体名記載欄２ｃに記載の○○とは、警察署名や地区・地域名等が入る部分である。
【実施例１０】
【００５０】
図１０は本考案である防犯運動用ステッカーの第１０実施例の正面図である。図１０に示すように、本考案である防犯運動用ステッカー１ｉは、表面中央にメイン文字記載欄２ａと前記メイン文字記載欄２ａの上下にサブ文字記載欄２ｂ、２ｄ、前記サブ文字記載欄２ｂの下部に団体名記載欄２ｃを設け、更にメイン文字記載欄２ａの下部左端にキャラクター記載欄２ｆを設けたシール２からなる。
【００５１】
即ち、防犯運動用ステッカー１ｉは実施例５の防犯運動用ステッカー１ｄとほぼ同じ構成をしており、キャラクター記載欄２ｆを設けただけの違いである。
【００５２】
防犯運動用ステッカー１ｉでは、メイン文字記載欄２ａに「パトロール中」３ｄと記載され、サブ文字記載欄２ｂには「みんなで守ろうこどもの安全地域の安全」４ａ、サブ文字記載欄２ｄには「わたしたちが見ています」６ｂ、団体名記載欄２ｃには「○○地区防犯協会」５ａと記載されている。また、キャラクター記載欄２ｆには警察官７のキャラクターが記載されている。団体名記載欄２ｃに記載の○○とは、地区名や地域名等が入る部分である。
【００５３】
尚、上記団体名記載欄２ｃには、保育所名、幼稚園名、小学校名、中学校名、高等学校名、各地区の防犯協会名、各警察署名等が記載され、この他にも団体名を記載することが考えられる。例えば、町内会名、自治会名、一般企業名、商工会議所名、子供会名、育成会名、交通安全協会名等である。
【００５４】
次に図１１及び図１２を使用して、前記キャラクター記載欄２ｅ〜２ｈで使用するキャラクターを説明することとする。図１１及び図１２は本考案である防犯運動用ステッカーで使用するキャラクターを示した図である。
【００５５】
図１１に示すように、イヌのお巡りさん８は、警察官の制服を着たイヌのキャラクターである。前記イヌのお巡りさん８は頭に警察の帽子を被り、片手は腰にあて、他方の手は一本の指を立て、後ろ脚の２本で立っている。
【００５６】
図１２に示すように、スズメのお巡りさん９は、ネクタイをして警察の帽子を被ったスズメのキャラクターである。前記スズメのお巡りさん９は片方の羽を腰にあて、他方の羽を広げて立っている。
【００５７】
前記イヌのお巡りさん８及びスズメのお巡りさん９のキャラクターは、実施例６から実施例１０で示したキャラクター記載欄２ｅ〜２ｈの警察官７に代わって記載するキャラクターである。
【００５８】
これらのキャラクター（警察官７、イヌのお巡りさん８、スズメのお巡りさん９）を使用することで文字だけの防犯運動用ステッカー１〜１ｄよりも優しい印象の防犯運動用ステッカーとなり、車体へ貼り付けることへの抵抗が弱まることが期待され、使用しやすい。
【００５９】
尚、本考案では特に警察官７，イヌのお巡りさん８、スズメのお巡りさん９のキャラクターとしたが、他の動物であっても良く、より親しみ易いキャラクターを使用しても構わない。
【００６０】
次に図１３を使用して本考案である防犯運動用ステッカーのシール構成を説明することとする。図１３は本考案である防犯シートの断面図である。
【００６１】
図１３に示すように、本考案である防犯運動用ステッカーのシール２は第１層から第６層からなり、第６層１０ｅの底面にセパレーター１０ｆが貼り付けられている。
【００６２】
第１層１０は印刷層であり、前述の各文字やキャラクターが印刷された部分を示している。
【００６３】
第２層１０ａは基材フィルム層であり、低密度ポリエチレン、ポリプロピレン、エチレン−酢酸ビニル共重合体等からなる。
【００６４】
第３層１０ｂは基材フィルム層であり、低密度ポリエチレン等からなる。
【００６５】
第４層１０ｃは基材フィルム層であり、ポリプロピレン等からなる。
【００６６】
第５層１０ｄは基材フィルム層であり、低密度ポリエチレン等からなる。
【００６７】
第６層１０ｅは粘着加工層であり、エチレン−酢酸共重合体等からなる。
【００６８】
セパレーター１０ｆはシール２を貼り付ける際に剥離する面であり、高密度ポリエチレン等からなる。
【図面の簡単な説明】
【００６９】
【図１】本考案である防犯運動用ステッカーの正面図である。
【図２】本考案である防犯運動用ステッカーの第２実施例の正面図である。
【図３】本考案である防犯運動用ステッカーの第３実施例の正面図である。
【図４】本考案である防犯運動用ステッカーの第４実施例の正面図である。
【図５】本考案である防犯運動用ステッカーの第５実施例の正面図である。
【図６】本考案である防犯運動用ステッカーの第６実施例の正面図である。
【図７】本考案である防犯運動用ステッカーの第７実施例の正面図である。
【図８】本考案である防犯運動用ステッカーの第８実施例の正面図である。
【図９】本考案である防犯運動用ステッカーの第９実施例の正面図である。
【図１０】本考案である防犯運動用ステッカーの第１０実施例の正面図である。
【図１１】本考案である防犯運動用ステッカーで使用するキャラクターを示した図である。
【図１２】本考案である防犯運動用ステッカーで使用するキャラクターを示した図である。
【図１３】本考案である防犯運動用ステッカーの断面図を示した図である。
【符号の説明】
【００７０】
１〜１ｉ    防犯運動用ステッカー
２          シール
２ａ        メイン文字記載欄
２ｂ        サブ文字記載欄
２ｃ        団体名記載欄
２ｄ        サブ文字記載欄
２ｅ〜２ｈ  キャラクター記載欄
３          防犯パトロール
３ａ        防犯パトロール実施中
３ｂ        特別警戒実施中
３ｃ        こども１１０番
３ｄ        パトロール中
４          みんなでつくろう安全な街
４ａ        みんなで守ろうこどもの安全地域の安全
５          ○○小学校
５ａ        ○○地区防犯協会
５ｂ        ○○警察署・○○地区防犯協会
６          防犯パトロール
６ａ        特別警戒中
６ｂ        わたしたちが見ています
７          警察官
８          イヌのお巡りさん
９          スズメのお巡りさん
１０          第１層
１０ａ        第２層
１０ｂ        第３層
１０ｃ        第４層
１０ｄ        第５層
１０ｅ        第６層
１０ｆ        セパレーター
【図１】
0003144624.tif 000003
【図２】
0003144624.tif 000004
【図３】
0003144624.tif 000005
【図４】
0003144624.tif 000006
【図５】
0003144624.tif 000007
【図６】
0003144624.tif 000008
【図７】
0003144624.tif 000009
【図８】
0003144624.tif 000010
【図９】
0003144624.tif 000011
【図１０】
0003144624.tif 000012
【図１１】
0003144624.tif 000013
【図１２】
0003144624.tif 000014
【図１３】
0003144624.tif 000015